【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
病室の属性が登録される病室属性設定情報のデータベースと、
病床の属性が登録される病床属性設定情報のデータベースと、
入力部からの入院患者及び入院予定患者の病床決定の条件として考慮すべき事項が登録される病床条件設定情報のデータベースと、
前記各データベースからの前記病室属性設定情報と、前記病床属性設定情報と、前記病床条件設定情報とを用いて院内の病棟・病室・病床のベッドコントロール情報を作成して表示部に表示するベッドコントロール制御手段と、
を有することを特徴とする病院情報システム。
【請求項２】
病床条件設定情報には、治療・療養上の考慮事項、患者の希望、及び看護上の考慮事項が含まれていることを特徴とする請求項１に記載の病院情報システム。
【請求項３】
前記治療・療養上の考慮事項及び看護上の考慮事項には、前記入院患者及び入院予定患者の病床決定条件として考慮すべき事項に対し必要な病室・病床の条件が合わせて設定されることを特徴とする請求項２に記載の病院情報システム。
【請求項４】
前記表示は、病室の各ベッド毎の情報行によって一覧表示されるものであり、
前記情報行には病室属性および病床属性が略式で表示され、歴日に少なくとも前記入院患者の在床状況が表示されることを特徴とする請求項１に記載の病院情報システム。
【請求項５】
病室の属性が登録される病室属性設定情報のデータベースと、
病床の属性が登録される病床属性設定情報のデータベースと、
入力部からの入院患者及び入院予定患者の病床決定の条件として考慮すべき事項が登録される病床条件設定情報のデータベースと、
前記各データベースからの前記病室属性設定情報と、前記病床属性設定情報と、前記病床条件設定情報とを用いて院内の病棟・病室・病床のベッドコントロール情報を作成して表示部に表示するベッドコントロール制御手段と、を備え、
前記ベッドコントロール制御手段は更に、選択した前記入院予定患者の病床決定の条件と前記病室属性設定情報および前記病床属性設定情報を比較し、空き病床の一致度合いを色表示することを特徴とする病院情報システム。
【請求項６】
病室の属性が登録される病室属性設定情報と、病床の属性が登録される病床属性設定情報と、入力部からの入院患者及び入院予定患者の病床決定の条件として考慮すべき事項が登録される病床条件設定情報と、を用いて院内の病棟・病室・病床のベッドコントロール情報を作成して表示部に表示すると共に、
選択された前記入院予定患者の病床決定の条件と前記病室属性設定情報および前記病床属性設定情報を比較し、空き病床の一致度合いを色表示することを特徴とするベッドコントロール表示方法。
【請求項７】
病室の属性が登録される病室属性設定情報のデータベースと、
病床の属性が登録される病床属性設定情報のデータベースと、
入力部からの入院患者及び入院予定患者の病床決定の条件として考慮すべき事項が登録される病床条件設定情報のデータベースと、
前記各データベースからの前記病室属性設定情報と、前記病床属性設定情報と、前記病床条件設定情報とを用いて院内の病棟・病室・病床のベッドコントロール情報を作成して表示部に表示し、選択した前記入院予定患者の病床決定の条件と前記病室属性設定情報および前記病床属性設定情報を比較し、空き病床の一致度合いを色表示するベッドコントロール制御機能と、
を有することを特徴とするベッドコントロール用プログラム。
【手続補正２】
【補正対象書類名】明細書
【補正対象項目名】０００２
【補正方法】変更
【補正の内容】
【０００２】
医療現場、特に病棟看護にあっては入院患者のベッドコントロールは重要な業務の一つとなっている。患者の希望、病状、治療計画を考慮し、効率よくベッドを配置することが重要である。これまで、電子カルテ等の診察・診療・治療等にはコンピュータ技術が導入され大幅な業務改善が行われているが、入院患者のベッドコントロールは、現場の経験則（一部の機能者の経験により）で処理されているケースが殆どである。
【手続補正３】
【補正対象書類名】明細書
【補正対象項目名】０００５
【補正方法】変更
【補正の内容】
【０００５】
しかしながら、医療現場では入院患者の容態が日々刻々と変化するため、空きベッドの予定状況が日々刻々と変化する。一方、入院患者の立場で考えると、治療・療養上、入院のベッド環境条件として、どうしても欠かせない必要条件を持っている入院患者がいる。また、患者自身からも入院に際し、ベッドの条件を要望されることがある。更に、看護師側から考えると、看護・ケアの実施の関係で必要な条件を考えなればならない。それらを考えながら、例えば、院内では４００名、病棟でも５０名以上の患者の状態を適切に把握することは困難である。また、患者の希望と治療上の必要性は必ずしも一致せず、どちらを優先させるべきかの基準が存在しない。また、一人でも多くの患者を入院させたいが、看護必要度や入院基本料等の届出基準など、入院決定に関して考慮すべき事項が多く、入院可能な空床が瞬時に判断できない。
特許文献１を含む従来技術には、そのような配慮や要望に応えられるものではなく、医療現場ではベッドコントロールを支援する装置の開発が要望されている。
【手続補正４】
【補正対象書類名】明細書
【補正対象項目名】０００８
【補正方法】変更
【補正の内容】
【０００８】
上記目的を達成するために、本発明の病院情報システムは、病室の属性が登録される病室属性設定情報のデータベースと、病床の属性が登録される病床属性設定情報のデータベースと、入力部からの入院患者及び入院予定患者の病床決定の条件として考慮すべき事項が登録される病床条件設定情報のデータベースと、前記各データベースからの前記病室属性設定情報と、前記病床属性設定情報と、前記病床条件設定情報とを用いて院内の病棟・病室・病床のベッドコントロール情報を作成して表示部に表示するベッドコントロール制御手段と、を有することを特徴とする。
【手続補正５】
【補正対象書類名】明細書
【補正対象項目名】０００９
【補正方法】変更
【補正の内容】
【０００９】
また、本発明のベッドコントロール表示方法は、病室の属性が登録される病室属性設定情報と、病床の属性が登録される病床属性設定情報と、入力部からの入院患者及び入院予定患者の病床決定の条件として考慮すべき事項が登録される病床条件設定情報と、を用いて院内の病棟・病室・病床のベッドコントロール情報を作成して表示部に表示すると共に、選択された前記入院予定患者の病床決定の条件と前記病室属性設定情報および前記病床属性設定情報を比較し、空き病床の一致度合いを色表示することを特徴とする。
【手続補正６】
【補正対象書類名】明細書
【補正対象項目名】００１０
【補正方法】変更
【補正の内容】
【００１０】
また、本発明のベッドコントロール用プログラムは、病室の属性が登録される病室属性設定情報のデータベースと、病床の属性が登録される病床属性設定情報のデータベースと、入力部からの入院患者及び入院予定患者の病床決定の条件として考慮すべき事項が登録される病床条件設定情報のデータベースと、前記各データベースからの前記病室属性設定情報と、前記病床属性設定情報と、前記病床条件設定情報とを用いて院内の病棟・病室・病床のベッドコントロール情報を作成して表示部に表示し、選択した前記入院予定患者の病床決定の条件と前記病室属性設定情報および前記病床属性設定情報を比較し、空き病床の一致度合いを色表示するベッドコントロール制御機能と、を有することを特徴とする。
【手続補正７】
【補正対象書類名】明細書
【補正対象項目名】００２３
【補正方法】変更
【補正の内容】
【００２３】
（５）病床決定の条件に対し必要な要素
患者の病床決定条件として考慮すべき事項に対し、必要な病室・病床の条件をマスタと管理する。例えば、上記「右手使用不可」の患者に対しては、例えば「ベッド位置−窓側」、「枕位置−右」の２つの条件を設定する必要がある。上記「暗室治療」の患者に対しては、例えば「病床数−個室」、「静かさ−中程度」の２つの条件を設定する必要がある。また、上記「痴呆あり」の患者に対しては、「ナースステーションとの距離−近い」、「ベッド位置−通路側」の２つの条件を設定する必要がある。これらの条件に強度（例えば、△○でなければならない。可能なら△○の方が良い）がある場合には、点数として定義してもよい。
【手続補正８】
【補正対象書類名】明細書
【補正対象項目名】００４３
【補正方法】変更
【補正の内容】
【００４３】
残りの空きベッド又はステップＳ２０に該当しないベッドについて、患者Ａさんの第２の条件に該当するベッドであるか否かをチェックする（ステップＳ４０）。ここで言う第２の条件とは、図６で定めた「治療・療養上の考慮事項」は全部一致するが、「患者様の希望」又は「看護上の考慮事項」の一部が不一致であるものを言う。そのようなベッドでれば、その病床（ベッド）を「青」表示して、当該ベッドの処理を終了する（ステップＳ５０）。
【手続補正９】
【補正対象書類名】明細書
【補正対象項目名】００４４
【補正方法】変更
【補正の内容】
【００４４】
残りの空きベッド又はステップＳ４０に該当しないベッドについて、患者Ａさんの第３の条件に該当するベッドであるか否かをチェックする（ステップＳ６０）。ここで言う第３の条件とは、図６で定めた「治療・療養上の考慮事項」は全部一致するが、「患者様の希望」および「看護上の考慮事項」の一部が不一致するものを言う。そのようなベッドでれば、その病床（ベッド）を「黄色」表示して、当該ベッドの処理を終了する（ステップＳ７０）。
【手続補正１０】
【補正対象書類名】明細書
【補正対象項目名】００４５
【補正方法】変更
【補正の内容】
【００４５】
残りの空きベッド又はステップＳ６０に該当しないベッドについて、患者Ａさんの第４の条件に該当するベッドであるか否かをチェックする（ステップＳ８０）。ここで言う第４の条件とは、図６で定めた「治療・療養上の考慮事項」の一部が不一致でありるが、「患者様の希望」と「看護上の考慮事項」は一致するものを言う。そのようなベッドでれば、その病床（ベッド）を「緑色」表示して、当該ベッドの処理を終了する（ステップＳ９０）。それ以外のもの（患者Ａさんに適した空きベッドなし）を「灰色」表示して、当該ベッドの処理を終了する（ステップＳ１００）。
【手続補正１１】
【補正対象書類名】明細書
【補正対象項目名】００５１
【補正方法】変更
【補正の内容】
【００５１】
以上、本発明によれば、入院患者の治療・療養上、入院のベッド環境条件としてどうしても欠かせない必要条件、入院に際し患者自身のベッド希望、看護師側からの看護・ケアの実施の関係で必要な条件を考慮したベッドコントロールを行うことができる。また、空きベッドに対するベッド待ち患者との条件が一目して判断することができ、もってスムーズに空きベッドの割り当て作業を行うことできる。
【手続補正１２】
【補正対象書類名】図面
【補正対象項目名】図９
【補正方法】変更
【補正の内容】
【図９】
2010257303.tif 000001